(57)【要約】【課題】冷房シーズンの消費電力量のピーク値をなるべく抑える。【解決手段】給湯空調システム（10）は、冷媒／水熱交換器（62）を流れる冷媒によって貯留タンク（63）内の水媒体を冷却する蓄冷運転と、冷媒／水熱交換器（62）を流れる冷媒を貯留タンク（63）内の水媒体によって冷却する利用冷房運転とを実行可能に構成されている。利用冷房運転時、貯留タンク（63）には、冷媒／水熱交換器（62）によって加熱された水媒体が貯留され、補助加熱装置（80）は、出湯管（81）内を通過する貯留タンク（63）内の加熱された水媒体を、更に加熱可能である。【選択図】図５
2015124908.tif 000002
【特許請求の範囲】
【請求項１】
水媒体を冷却または加熱するための水媒体熱交換器（62）と冷却または加熱された水媒体を貯留する貯留タンク（63）とが接続された水媒体回路（61）、を有する給湯装置（60）と、
冷媒を室外空気と熱交換させる室外熱交換器（24）と、室内を空気調和するための室内熱交換器（41）と、冷媒と上記水媒体回路（61）の水媒体との間で熱交換を行う上記水媒体熱交換器（62）とが接続された冷媒回路（21）と、
上記水媒体回路（61）と給湯栓（82）とを接続しており水媒体が上記水媒体回路（61）側から上記給湯栓（82）側へと通過する出湯管（81）、に設けられた補助加熱装置（80）と
を備え、
上記冷媒回路（21）は、放熱器となる上記室外熱交換器（24）から蒸発器となる上記水媒体熱交換器（62）へと冷媒が流れるように循環させ、上記給湯装置（60）は、上記水媒体熱交換器（62）を流れる冷媒によって上記貯留タンク（63）内の水媒体を冷却する蓄冷運転と、
上記冷媒回路（21）は、放熱器となる上記水媒体熱交換器（62）から蒸発器となる上記室内熱交換器（41）へと冷媒が流れるように循環させ、上記給湯装置（60）は、上記水媒体熱交換器（62）を流れる冷媒を上記貯留タンク（63）内の水媒体によって冷却する利用冷房運転と
が実行可能に構成され、
上記利用冷房運転時、
上記貯留タンク（63）には、上記水媒体熱交換器（62）によって加熱された水媒体が貯留され、
上記補助加熱装置（80）は、上記出湯管（81）内を通過する上記貯留タンク（63）内の加熱された水媒体を、更に加熱可能である
ことを特徴とする給湯空調システム。
【請求項２】
請求項１において、
上記蓄冷運転時、上記補助加熱装置（80）は、上記出湯管（81）内を通過する上記貯留タンク（63）内の冷却された水媒体を加熱する
ことを特徴とする給湯空調システム。
【請求項３】
請求項１または請求項２において、
上記蓄冷運転時、上記水媒体回路（61）は、上記水媒体熱交換器（62）によって冷却された水媒体を、上記貯留タンク（63）の下部に設けられた水媒体の下部流入口（63a）を介して上記貯留タンク（63）内へと戻す
ことを特徴とする給湯空調システム。
【請求項４】
請求項１から請求項３のいずれか１項において、
上記利用冷房運転時、上記水媒体回路（61）は、上記水媒体熱交換器（62）によって加熱された水媒体を、上記貯留タンク（63）の上部に設けられた水媒体の上部流入口（63b）を介して上記貯留タンク（63）内へと戻す
ことを特徴とする給湯空調システム。
【請求項５】
請求項１から請求項４のいずれか１項において、
上記貯留タンク（63）には、上記貯留タンク（63）の下部に設けられた水媒体の下部流入口（63a）と、上記貯留タンク（63）の上部に設けられた水媒体の上部流入口（63b）と、上記上部流入口（63b）と上記下部流入口（63a）との間に位置する水媒体の中間流出口（63e）と、が形成されており、
上記水媒体回路（61）は、
上記蓄冷運転時、上記貯留タンク（63）内の水媒体を上記中間流出口（63e）を介して上記水媒体熱交換器（62）に供給すると共に、上記水媒体熱交換器（62）にて冷却された水媒体を上記下部流入口（63a）を介して上記貯留タンク（63）内へと戻し、
上記利用冷房運転時、上記貯留タンク（63）内の水媒体を上記中間流出口（63e）を介して上記水媒体熱交換器（62）に供給すると共に、上記水媒体熱交換器（62）にて加熱された水媒体を上記上部流入口（63b）を介して上記貯留タンク（63）内へと戻す
ことを特徴とする給湯空調システム。
【発明の詳細な説明】
【技術分野】
【０００１】
本発明は、室内の空気調和を行うと共に給湯用の温水を生成して貯留タンクに貯留可能な給湯空調システムに関するものである。
【背景技術】
【０００２】
近年、室内の空気調和と給湯用の温水の生成とを行う給湯空調システムが開発されている。このような給湯空調システムには、例えば特許文献１に示すように、冷媒回路と給湯回路とを備えるシステムがある。特許文献１の冷媒回路では、冷房サイクルまたは暖房サイクルが行われ、給湯回路では、水媒体を加熱して温水を生成する給湯サイクルが行われる。
【先行技術文献】
【特許文献】
【０００３】
【特許文献１】特開２００９−９２２５１号公報
【発明の概要】
【発明が解決しようとする課題】
【０００４】
特許文献１では、冷房サイクルの排熱を利用して温水が生成されるが、冷房運転を行うことにより消費される電力量を削減することは困難である。そのため、特許文献１では、例えば夏季の日中から夕方にかけてのように室内温度が比較的高くなる時間帯においては、室内の冷房運転が優先され、消費電力量のピーク値が上昇する虞がある。
【０００５】
本発明は、かかる点に鑑みてなされたものであり、その目的は、室内の空気調和を行うと共に給湯用の温水を生成して貯留タンクに貯留することが可能なシステムにおいて、夏季等の冷房シーズンの消費電力量のピーク値の上昇をなるべく抑えることである。
【課題を解決するための手段】
【０００６】
第１の発明は、水媒体を冷却または加熱するための水媒体熱交換器（62）と冷却または加熱された水媒体を貯留する貯留タンク（63）とが接続された水媒体回路（61）、を有する給湯装置（60）と、冷媒を室外空気と熱交換させる室外熱交換器（24）と、室内を空気調和するための室内熱交換器（41）と、冷媒と上記水媒体回路（61）の水媒体との間で熱交換を行う上記水媒体熱交換器（62）とが接続された冷媒回路（21）と、上記水媒体回路（61）と給湯栓（82）とを接続しており水媒体が上記水媒体回路（61）側から上記給湯栓（82）側へと通過する出湯管（81）、に設けられた補助加熱装置（80）とを備える給湯空調システムを対象とする。上記冷媒回路（21）は、放熱器となる上記室外熱交換器（24）から蒸発器となる上記水媒体熱交換器（62）へと冷媒が流れるように循環させ、上記給湯装置（60）は、上記水媒体熱交換器（62）を流れる冷媒によって上記貯留タンク（63）内の水媒体を冷却する蓄冷運転と、上記冷媒回路（21）は、放熱器となる上記水媒体熱交換器（62）から蒸発器となる上記室内熱交換器（41）へと冷媒が流れるように循環させ、上記給湯装置（60）は、上記水媒体熱交換器（62）を流れる冷媒を上記貯留タンク（63）内の水媒体によって冷却する利用冷房運転とが実行可能に構成され、上記利用冷房運転時、上記貯留タンク（63）には、上記水媒体熱交換器（62）によって加熱された水媒体が貯留され、上記補助加熱装置（80）は、上記出湯管（81）内を通過する上記貯留タンク（63）内の加熱された水媒体を、更に加熱可能であることを特徴とする。
【０００７】
この給湯空調システム（10）は、加熱された水媒体のみならず冷却された水媒体も貯留することが可能な貯留タンク（63）を備え、蓄冷運転及び利用冷房運転を実行可能に構成されている。蓄冷運転は、室外熱交換器（24）と水媒体熱交換器（62）とを利用して、冷却された水媒体を貯留タンク（63）に貯留する運転である。蓄冷運転は、例えば夏季の夜間のように電力料金が比較的低い時間帯に行われる。利用冷房運転は、水媒体熱交換器（62）及び室内熱交換器（41）を利用して、貯留タンク（63）内の冷却された水媒体を熱源として室内を冷房する一方で、貯留タンク（63）には加熱された水媒体を貯留する運転である。利用冷房運転は、例えば夏季の昼間のように、室内の冷房運転の需要が高く消費電力量のピーク値が上昇する傾向にある時間帯に行われる。利用冷房運転時に、利用者によって温水が利用される場合には、貯留タンク（63）内の加熱された水媒体は、補助加熱装置（80）によって更に加熱されて給湯栓（82）に供給される。
【０００８】
これにより、例えば室内の冷房運転の需要が高い時間帯には、給湯装置（60）内の冷却された水媒体を熱源として室内が冷房されるため、消費電力量のピーク値を抑えることができる。しかも、室内の冷房時、貯留タンク（63）内には、冷房の排熱を利用して加熱された水媒体が貯留される。そのため、給湯栓（82）への温水の供給時、補助加熱装置（80）が水媒体を加熱する熱量は、冷却された水媒体を加熱する場合に比して少なくて済む。従って、補助加熱装置（80）が、ガス燃焼式であればガス使用量を抑えることもでき、電気式であれば電気使用量を抑えることもできる。
【０００９】
第２の発明は、第１の発明において、上記蓄冷運転時、上記補助加熱装置（80）は、上記出湯管（81）内を通過する上記貯留タンク（63）内の冷却された水媒体を加熱することを特徴とする。
【００１０】
蓄冷運転時に利用者によって温水が利用される場合、冷却された水媒体は、補助加熱装置（80）によって加熱された後に給湯栓（82）へと供給される。これにより、冷却された水媒体が貯留される蓄冷運転時でも、利用者は、問題なく温水を使用することができる。
【００１１】
第３の発明は、第１の発明または第２の発明において、上記蓄冷運転時、上記水媒体回路（61）は、上記水媒体熱交換器（62）によって冷却された水媒体を、上記貯留タンク（63）の下部に設けられた水媒体の下部流入口（63a）を介して上記貯留タンク（63）内へと戻すことを特徴とする。
【００１２】
これにより、貯留タンク（63）内の水媒体のうち冷却された水媒体の領域が、貯留タンク（63）の下から上へと徐々に拡大されていく。
【００１３】
第４の発明は、第１の発明から第３の発明のいずれか１つにおいて、上記利用冷房運転時、上記水媒体回路（61）は、上記水媒体熱交換器（62）によって加熱された水媒体を、上記貯留タンク（63）の上部に設けられた水媒体の上部流入口（63b）を介して上記貯留タンク（63）内へと戻すことを特徴とする。
【００１４】
これにより、貯留タンク（63）内の水媒体のうち加熱された水媒体の領域が、貯留タンク（63）の上から下へと徐々に拡大されていく。
【００１５】
第５の発明は、第１の発明から第４の発明のいずれか１つにおいて、上記貯留タンク（63）には、上記貯留タンク（63）の下部に設けられた水媒体の下部流入口（63a）と、上記貯留タンク（63）の上部に設けられた水媒体の上部流入口（63b）と、上記上部流入口（63b）と上記下部流入口（63a）との間に位置する水媒体の中間流出口（63e）と、が形成されている。上記水媒体回路（61）は、上記蓄冷運転時、上記貯留タンク（63）内の水媒体を上記中間流出口（63e）を介して上記水媒体熱交換器（62）に供給すると共に、上記水媒体熱交換器（62）にて冷却された水媒体を上記下部流入口（63a）を介して上記貯留タンク（63）内へと戻し、上記利用冷房運転時、上記貯留タンク（63）内の水媒体を上記中間流出口（63e）を介して上記水媒体熱交換器（62）に供給すると共に、上記水媒体熱交換器（62）にて加熱された水媒体を上記上部流入口（63b）を介して上記貯留タンク（63）内へと戻すことを特徴とする。
【００１６】
貯留タンク（63）のサイズが大きくなる程、貯留タンク（63）の上部側と下部側との温度差が大きくなる。特に、貯留タンク（63）の上部の温度は高く、下部の温度は低い傾向にある。そこで、給湯空調システム（10）では、比較的中間温度となりやすい貯留タンク（63）の中間部分に中間流出口（63e）が設けられ、当該中間流出口（63e）から水媒体が水回路（61）へと流出される。そして、貯留タンク（63）内に冷却された水媒体を貯留する蓄冷運転時、水媒体は下部流入口（63a）に戻され、貯留タンク（63）内に加熱された水媒体を貯留する利用冷房運転時、水媒体は上部流入口（63b）に戻される。従って、貯留タンク（63）内には、冷却された水媒体の領域は下から徐々に拡大され、加熱された水媒体の領域は上から徐々に拡大されていく。
【発明の効果】
【００１７】
本発明によれば、消費電力量のピーク値を抑えることができると共に、補助加熱装置（80）によるガス使用量または電気使用量を抑えることもできる。
【００１８】
また、上記第２の発明によれば、冷却された水媒体が貯留される蓄冷運転時でも、利用者は、問題なく温水を使用することができる。
【００１９】
また、上記第３の発明によれば、貯留タンク（63）内の水媒体のうち冷却された水媒体の領域が、貯留タンク（63）の下から上へと徐々に拡大されていく。
【００２０】
また、上記第４の発明によれば、貯留タンク（63）内の水媒体のうち加熱された水媒体の領域が、貯留タンク（63）の上から下へと徐々に拡大されていく。
【００２１】
また、上記第５の発明によれば、貯留タンク（63）内には、冷却された水媒体の領域は下から徐々に拡大され、加熱された水媒体の領域は上から徐々に拡大されていく。
【図面の簡単な説明】
【００２２】
【図１】図１は、実施形態１の給湯空調システムの回路構成を示す配管系統図である。
【図２】図２は、図１において、通常冷房運転時の冷媒の流れを説明するための図である。
【図３】図３は、図１において、通常暖房運転時の冷媒の流れを説明するための図である。
【図４】図４は、図１において、蓄冷運転時の冷媒の流れ及び水媒体の流れを説明するための図である。
【図５】図５は、図１において、利用冷房運転時の冷媒の流れ及び水媒体の流れを説明するための図である。
【図６】図６は、実施形態２の給湯空調システムが蓄冷運転を行う場合の、水回路における水媒体の流れを説明するための図である。
【図７】図７は、実施形態２の給湯空調システムが利用冷房運転を行う場合の、水回路における水媒体の流れを説明するための図である。
【図８】図８は、実施形態３の給湯空調システムの回路構成を示す配管系統図である。
【図９】図９は、実施形態４の給湯空調システムが蓄冷運転を行う場合の、水回路における水媒体の流れを説明するための図である。
【図１０】図１０は、実施形態４の給湯空調システムが利用冷房運転を行う場合の、水回路における水媒体の流れを説明するための図である。
【発明を実施するための形態】
【００２３】
以下、本発明の実施形態を図面に基づいて詳細に説明する。なお、以下の実施形態は、本質的に好ましい例示であって、本発明、その適用物、あるいはその用途の範囲を制限することを意図するものではない。
≪実施形態１≫
＜構成＞
図１は、本実施形態１の給湯空調システム（10）の回路構成を示す配管系統図である。図１の給湯空調システム（10）は、室内に対して空気調和運転である冷房運転または暖房運転を行いつつ、沸き上げ運転を行うことができるシステムである。給湯空調システム（10）は、室外ユニット（20）、室内ユニット（40）及び給湯ユニット（60）で構成される冷媒回路（21）と、給湯ユニット（60）と、補助加熱器（80）とを備える。
【００２４】
なお、室外ユニット（20）、給湯ユニット（60）及び補助加熱器（80）は、建物の屋外等に設置され、室内ユニット（40）は、空調対象となる室内に設置される。
【００２５】
＜冷媒回路＞
冷媒回路（21）は、冷媒が充填された閉回路である。冷媒回路（21）は、主として、圧縮機（22）と、四路切換弁（23）と、室外熱交換器（24）と、３つの膨張弁（25,26,29）と、室内熱交換器（41）と、２つの電磁弁（27,28）と、冷媒／水熱交換器（62）（水媒体熱交換器に相当）とが、冷媒配管を介して接続されることで構成されている。冷媒回路（21）の構成要素のうち、圧縮機（22）、四路切換弁（23）、室外熱交換器（24）、３つの膨張弁（25,26,29）及び２つの電磁弁（27,28）は、室外ユニット（20）に配置されている。冷媒回路（21）の構成要素のうち、室内熱交換器（41）は室内ユニット（40）に配置され、冷媒／水熱交換器（62）は給湯ユニット（60）に配置されている。
【００２６】
圧縮機（22）は、圧縮機構と電動機とが１つのケーシングに収容された全密閉型圧縮機で構成されており、冷媒を圧縮して吐出する。圧縮機構は、ローリングピストン型または揺動ピストン型のロータリ式流体機械、またはスクロール型のロータリ式流体機械であることができる。圧縮機（22）の吐出側は、吐出配管（30）を介して四路切換弁（23）の第１ポート（a1）に接続され、圧縮機（22）の吸入側は、吸入配管（32）を介して四路切換弁（23）の第２ポート（a2）に接続される。
【００２７】
四路切換弁（23）は、４つのポート（a1,a2,a3,a4）を有する。四路切換弁（23）は、給湯空調システム（10）の運転種類に応じて、第１ポート（a1）と第３ポート（a3）とが連通すると共に第２ポート（a2）と第４ポート（a4）とが連通する状態（図１にて実線で示す状態）と、第１ポート（a1）と第４ポート（a4）とが連通すると共に第２ポート（a2）と第３ポート（a3）とが連通する状態（図１にて破線で示す状態）とに切り換わる。これにより、四路切換弁（23）は、圧縮機（22）から吐出された冷媒の流れを、室外熱交換器（24）及び室内熱交換器（41）のいずれかに一方に切り換えたり、室内熱交換器（41）から流出した冷媒を圧縮機（22）の吸入側に流したりすることができる。
【００２８】
室外熱交換器（24）は、いわゆるクロスフィン型の熱交換器である。室外熱交換器（24）の一端は、四路切換弁（23）の第３ポート（a3）に接続され、他端は、第１膨張弁（25）に接続されている。室外熱交換器（24）は、冷媒と、室外ファン（24a）によって供給された室外空気との間で熱交換を行うことで、室内の空気を調和する。
【００２９】
３つの膨張弁（25,26,29）は、冷媒回路（21）を循環する冷媒を減圧可能な絞り弁であって、開度可変の電動膨張弁によって構成されている。第１膨張弁（25）の一端は室外熱交換器（24）と接続され、第２膨張弁（26）の一端は室内熱交換器（41）と接続され、第３膨張弁（29）の一端は冷媒／水熱交換器（62）と接続されている。３つの膨張弁（25,26,29）それぞれの他端同士は互いに接続されている。３つの膨張弁（25,26,29）それぞれの開度は、給湯空調システム（10）の運転種類に応じて、図示しない制御部によって調整される。
【００３０】
室内熱交換器（41）は、上記室外熱交換器（24）と同様、いわゆるクロスフィン型の熱交換器である。室内熱交換器（41）の一端は、第２膨張弁（26）に接続され、他端は四路切換弁（23）の第４ポート（a4）に接続されている。室内熱交換器（41）は、冷媒と、室内ファン（41a）によって供給された室内空気との間で熱交換を行い、室内の空気調和を行う。
【００３１】
第１電磁弁（27）は、吐出配管（30）と冷媒／水熱交換器（62）とを繋ぐ連絡配管（31）に設けられている。第２電磁弁（28）は、吸入配管（32）と連絡配管（31）とを繋ぐバイパス配管（33）に設けられている。第１電磁弁（27）及び第２電磁弁（28）は、給湯空調システム（10）が行う運転種類に応じて開閉が切り換えられる。
【００３２】
特に、第１電磁弁（27）は、連絡配管（31）のうち、連絡配管（31）とバイパス配管（33）との接続ポイントよりも吐出配管（30）側に設けられている。
【００３３】
冷媒／水熱交換器（62）については、以下に説明する。
【００３４】
＜給湯ユニット＞
給湯ユニット（60）は、水媒体が循環する水回路（61）（水媒体回路に相当）を有する。水回路（61）は、冷媒／水熱交換器（62）（水媒体熱交換器）と、貯留タンク（63）と、循環ポンプ（64）と、２つの三方弁（65,66）とが、水配管（68）を介して接続されることで構成されている。
【００３５】
冷媒／水熱交換器（62）は、冷媒側通路（62a）と水側通路（62b）とを含む。冷媒側通路（62a）は冷媒回路（21）の冷媒配管（具体的には連絡配管（31）等）に接続され、水側通路（62b）は水配管（68）に接続されている。冷媒／水熱交換器（62）は、水側通路（62b）を流れる水媒体を、冷媒側通路（62a）を流れる冷媒と熱交換させる。特に、冷媒／水熱交換器（62）は、冷媒回路（21）において、給湯空調システム（10）の運転種類に応じて冷媒の放熱器または蒸発器として機能することができる。冷媒／水熱交換器（62）が冷媒の放熱器として機能する場合、冷媒から発せられた熱を水媒体が吸収するため、水媒体は加熱される。冷媒／水熱交換器（62）が冷媒の蒸発器として機能する場合、水媒体から発せられた熱を冷媒が吸収するため、水媒体は冷却される。
【００３６】
貯留タンク（63）は、起立状態で設置された円筒形の容器であって、その内部は常に水媒体によって満たされている。貯留タンク（63）の容積は、例えば１００〜２００リットル程度である。貯留タンク（63）は、冷媒／水熱交換器（62）によって加熱された水媒体である温水、または冷却された水媒体である冷水を貯留することができる。
【００３７】
また、貯留タンク（63）の下部には、下部出入口（63a）（下部流入口に相当）及び水入口（63c）が設けられ、貯留タンク（63）の上部には、上部出入口（63b）（上部流入口に相当）及び水出口（63d）が設けられている。下部出入口（63a）及び上部出入口（63b）は、水媒体が、貯留タンク（63）内から水回路（61）へと流出したり、逆に水回路（61）から貯留タンク（63）内へと流入したりするための開口である。水入口（63c）は、給湯ユニット（60）外部から給水配管（84）を介し流れてきた給湯空調システム（10）外部からの水媒体が、貯留タンク（63）内へと流入されるための開口である。水出口（63d）は、貯留タンク（63）内の水媒体が出湯管（81）を介して給湯栓（82）へと供給される際に、貯留タンク（63）内の水媒体が出湯管（81）側へと流出するための開口である。
【００３８】
循環ポンプ（64）は、水回路（61）において、水媒体を循環させる。
【００３９】
２つの三方弁（65,66）は、循環ポンプ（64）を挟むようにして設けられている。第１三方弁（65）は循環ポンプ（64）の水媒体流出側に設けられ、第２三方弁（66）は、循環ポンプ（64）の水媒体流入側に設けられている。２つの三方弁（65,66）は、水回路（61）内を循環する水媒体の流れ方向を切り換える。具体的に、第１三方弁（65）は、循環ポンプ（64）の水媒体流出口を貯留タンク（63）の下部出入口（63a）に連通させる状態、及び循環ポンプ（64）の水媒体流出口を冷媒／水熱交換器（62）に連通させる状態のいずれかを採り得る。第２三方弁（66）は、循環ポンプ（64）の水媒体流入口を貯留タンク（63）の下部出入口（63a）に連通させる状態、及び循環ポンプ（64）の水媒体流入口を冷媒／水熱交換器（62）に連通させる状態のいずれかを採り得る。
【００４０】
＜補助加熱器＞
補助加熱器（80）は、水回路（61）の貯留タンク（63）（より具体的には水出口（63d））と給湯栓（82）とを接続する出湯管（81）に設けられている。補助加熱器（80）は、水回路（61）側から給湯栓（82）側へと通過する出湯管（81）内の水媒体に、ガスを燃焼させることで得た熱を与えることで、水媒体を加熱する装置である。
【００４１】
また、補助加熱器（80）には、給水配管（84）及び三方弁（83）を介して給湯空調システム（10）外部からの水媒体（例えば水道水）が供給されることも可能となっている。三方弁（83）は、給湯空調システム（10）外部からの水媒体を補助加熱器（80）または貯留タンク（63）に供給するように切り替わる。
【００４２】
＜給湯空調システムの動作＞
以下では、上述した構成を有する給湯空調システム（10）における冷媒の流れ及び水媒体の流れを、給湯空調システム（10）の運転種類毎に説明する。
【００４３】
給湯空調システム（10）の運転種類としては、通常冷房運転、通常暖房運転、蓄冷運転及び利用冷房運転が挙げられる。
【００４４】
−通常冷房運転−
通常冷房運転とは、給湯ユニット（60）が運転を停止した状態にて、室内ユニット（40）及び室外ユニット（20）によって室内空気が冷却される運転である。即ち、通常冷房運転では、室外熱交換器（24）及び室内熱交換器（41）を用いた冷媒回路（21）の冷凍サイクルによって冷熱が得られ、その冷熱だけを用いて室内の冷房が行われる。図２は、通常冷房運転時の冷媒の流れを説明するための図である。
【００４５】
先ず、室外ユニット（20）の四路切換弁（23）は、第１ポート（a1）と第３ポート（a3）とが連通すると共に第２ポート（a2）と第４ポート（a4）とが連通する状態を採る。第１膨張弁（25）は全開の状態、第３膨張弁（29）は全閉の状態をそれぞれ採り、第２膨張弁（26）は冷媒の減圧手段として機能する。２つの電磁弁（27,28）は、共に閉鎖の状態を採る。給湯ユニット（60）側では、循環ポンプ（64）は停止している。
【００４６】
上記状態において、圧縮機（22）を作動させると、冷媒回路（21）は、室外熱交換器（24）が冷媒の凝縮器（即ち、放熱器）として機能し、室内熱交換器（41）が冷媒の蒸発器として機能する冷凍サイクルを行う。
【００４７】
具体的には、圧縮機（22）から吐出された冷媒は、四路切換弁（23）の第１ポート（a1）及び第３ポート（a3）を介して室外熱交換器（24）に流入し、該室外熱交換器（24）を通過する間に室外空気に放熱して凝縮する。室外熱交換器（24）を通過した冷媒は、全開である第１膨張弁（25）を通過後、第２膨張弁（26）にて減圧される。なお、第３膨張弁（29）は全閉であるため、第１膨張弁（25）を通過後の冷媒は、冷媒／水熱交換器（62）へは流れない。
【００４８】
第２膨張弁（26）にて減圧された冷媒は、室内熱交換器（41）に流入し、室内空気から吸熱して蒸発する。室内熱交換器（41）において冷却された室内空気は、室内に供給される。室内熱交換器（41）を通過した冷媒は、四路切換弁（23）の第４ポート（a4）及び第２ポート（a2）を介して圧縮機（22）に吸入される。吸入された冷媒は、圧縮機（22）にて圧縮され、再び吐出配管（30）へと吐出される。
【００４９】
また、２つの電磁弁（27,28）は閉鎖した状態であるため、圧縮機（22）から吐出した冷媒及び圧縮機（22）の吸入側へと向かう冷媒が分岐して冷媒／水熱交換器（62）へと流れることもない。
【００５０】
―通常暖房運転―
通常暖房運転とは、給湯ユニット（60）が運転を停止した状態にて、室内ユニット（40）及び室外ユニット（20）によって室内空気が温められる運転である。即ち、通常暖房運転では、室外熱交換器（24）及び室内熱交換器（41）を用いた冷媒回路（21）の冷凍サイクルによって温熱が得られ、その温熱だけを用いて室内の暖房が行われる。図３は、通常暖房運転時の冷媒の流れを説明するための図である。
【００５１】
先ず、室外ユニット（20）の四路切換弁（23）は、第１ポート（a1）と第４ポート（a4）とが連通すると共に第２ポート（a2）と第３ポート（a3）とが連通する状態を採る。第２膨張弁（26）は全開の状態、第３膨張弁（29）は全閉の状態をそれぞれ採り、第１膨張弁（25）は冷媒の減圧手段として機能する。２つの電磁弁（27,28）は、共に閉鎖の状態を採る。給湯ユニット（60）側では、循環ポンプ（64）は停止している。
【００５２】
上記状態において、圧縮機（22）を作動させると、冷媒回路（21）は、室内熱交換器（41）が冷媒の凝縮器（即ち、放熱器）として機能し、室外熱交換器（24）が冷媒の蒸発器として機能する冷凍サイクルを行う。
【００５３】
具体的には、圧縮機（22）から吐出された冷媒は、四路切換弁（23）の第１ポート（a1）及び第４ポート（a4）を介して室内熱交換器（41）に流入し、該室内熱交換器（41）を通過する間に室内空気に放熱して凝縮する。室内熱交換器（41）において加熱された室内空気は、室内に供給される。室内熱交換器（41）を通過した冷媒は、全開である第２膨張弁（26）を通過後、第１膨張弁（25）にて減圧される。なお、第３膨張弁（29）は全閉であるため、第２膨張弁（26）を通過後の冷媒は、冷媒／水熱交換器（62）へは流れない。
【００５４】
第１膨張弁（25）にて減圧された冷媒は、室外熱交換器（24）に流入し、室外空気から吸熱して蒸発する。室外熱交換器（24）を通過した冷媒は、四路切換弁（23）の第３ポート（a3）及び第２ポート（a2）を介して圧縮機（22）に吸入される。吸入された冷媒は、圧縮機（22）にて圧縮され、再び吐出配管（30）へと吐出される。
【００５５】
また、２つの電磁弁（27,28）は閉鎖した状態であるため、圧縮機（22）から吐出した冷媒及び圧縮機（22）の吸入側へと向かう冷媒が分岐して冷媒／水熱交換器（62）へと流れることもない。
【００５６】
−蓄冷運転―
蓄冷運転は、室内の空気調和が停止された状態にて、給湯ユニット（60）の貯留タンク（63）に冷水を蓄える運転である。即ち、蓄冷運転では、室外熱交換器（24）及び冷媒／水熱交換器（62）を用いた冷媒回路（21）の冷凍サイクルによって冷熱が得られ、その冷熱を用いて貯留タンク（63）内の水媒体が冷却される。図４は、蓄冷運転時の冷媒の流れ及び水媒体の流れを説明するための図である。
【００５７】
先ず、室外ユニット（20）の四路切換弁（23）は、第１ポート（a1）と第３ポート（a3）とが連通すると共に第２ポート（a2）と第４ポート（a4）とが連通する状態を採る。第１膨張弁（25）は全開の状態、第２膨張弁（26）は全閉の状態をそれぞれ採り、第３膨張弁（29）は冷媒の減圧手段として機能する。第１電磁弁（27）は閉鎖され、第２電磁弁（28）は開放される。給湯ユニット（60）側では、循環ポンプ（64）は運転している。第１三方弁（65）は、循環ポンプ（64）の水媒体流出口を貯留タンク（63）の下部出入口（63a）に連通させる状態を採る。第２三方弁（66）は、循環ポンプ（64）の水媒体流入口を冷媒／水熱交換器（62）に連通させる状態を採る。
【００５８】
上記状態において、圧縮機（22）を作動させると、冷媒回路（21）は、室外熱交換器（24）が冷媒の凝縮器（即ち、放熱器）として機能し、冷媒／水熱交換器（62）が冷媒の蒸発器として機能する冷凍サイクルを行う。即ち、冷媒回路（21）では、放熱器となる室外熱交換器（24）から蒸発器となる冷媒／水熱交換器（62）へと冷媒が流れるように、冷媒が循環する。
【００５９】
具体的には、圧縮機（22）から吐出された冷媒は、四路切換弁（23）の第１ポート（a1）及び第３ポート（a3）を介して室外熱交換器（24）に流入し、該室外熱交換器（24）を通過する間に室外空気に放熱して凝縮する。室外熱交換器（24）を通過した冷媒は、全開である第１膨張弁（25）を通過後、第３膨張弁（29）にて減圧される。なお、第２膨張弁（26）は全閉であるため、第１膨張弁（25）を通過後の冷媒は、室内熱交換器（41）へは流れない。従って、室内熱交換器（41）では熱交換は行われない。なお、室内ファン（41a）の運転も停止していることが好ましい。
【００６０】
第３膨張弁（29）にて減圧された冷媒は、冷媒／水熱交換器（62）の冷媒側通路（62a）を通過する。当該冷媒側通路（62a）を流れる冷媒は、水側通路（62b）を流れる水媒体から吸熱して蒸発する。冷媒／水熱交換器（62）にて蒸発した冷媒は、第２電磁弁（28）を通過した後、圧縮機（22）に吸入される。吸入された冷媒は、圧縮機（22）にて圧縮され、再び吐出配管（30）へと吐出される。
【００６１】
なお、第１電磁弁（27）は閉鎖した状態である。そのため、圧縮機（22）から吐出された冷媒がバイパス配管（33）に分岐して流れ、圧縮機（22）の吸入側へと流入することはない。また、冷媒／水熱交換器（62）にて蒸発した冷媒が吐出配管（30）へと流入することもない。
【００６２】
一方、給湯ユニット（60）の水回路（61）では、貯留タンク（63）内の水媒体が上部出入口（63b）から水配管（68）へと流出する。貯留タンク（63）から流出した水媒体は、冷媒／水熱交換器（62）の水側通路（62b）に流入し、冷媒側通路（62a）を流れる冷媒によって吸熱されて冷却される。冷媒／水熱交換器（62）にて冷却された水媒体（即ち、冷水）は、第２三方弁（66）、循環ポンプ（64）及び第１三方弁（65）をこの順で通過した後、貯留タンク（63）の下部出入口（63a）を介して該貯留タンク（63）の内部へと戻される。
【００６３】
このように、蓄冷運転では、貯留タンク（63）には冷水が貯留される。そのため、蓄冷運転時に、給湯空調システム（10）の利用者が給湯栓（82）を開いて温水を利用する際、貯留タンク（63）内の水媒体の温度は、設定温度に達していないことが予想される。そこで、この場合、貯留タンク（63）内の水媒体は、出湯管（81）を通過する際に補助加熱器（80）で加熱され、給湯栓（82）に供給される。補助加熱器（80）は、貯留タンク（63）内の水媒体の温度が設定温度に達するまで、水媒体を加熱することが好ましい。
【００６４】
―利用冷房運転―
利用冷房運転は、蓄冷運転の後に行われる運転である。利用冷房運転は、室内熱交換器（41）及び冷媒／水熱交換器（62）を用いて、貯留タンク（63）内の水媒体を加熱しつつ室内空気を冷却する運転である。即ち、利用冷房運転では、蓄冷運転によって貯留タンク（63）に貯留された冷水の冷熱のみを用いて、室内の冷房が行われる。図５は、利用冷房運転時の冷媒の流れ及び水媒体の流れを説明するための図である。
【００６５】
先ず、室外ユニット（20）の四路切換弁（23）は、第１ポート（a1）と第３ポート（a3）とが連通すると共に第２ポート（a2）と第４ポート（a4）とが連通する状態を採る。第１膨張弁（25）は全閉の状態、第３膨張弁（29）は全開の状態をそれぞれ採り、第２膨張弁（26）は冷媒の減圧手段として機能する。第１電磁弁（27）は開放され、第２電磁弁（28）は閉鎖される。給湯ユニット（60）側では、循環ポンプ（64）は運転している。第１三方弁（65）は、循環ポンプ（64）の水媒体流出口を冷媒／水熱交換器（62）に連通させる状態を採る。第２三方弁（66）は、循環ポンプ（64）の水媒体流入口を貯留タンク（63）の下部出入口（63a）に連通させる状態を採る。
【００６６】
上記状態において、圧縮機（22）を作動させると、冷媒回路（21）は、冷媒／水熱交換器（62）が冷媒の凝縮器（即ち、放熱器）として機能し、室内熱交換器（41）が冷媒の蒸発器として機能する冷凍サイクルを行う。即ち、冷媒回路（21）では、放熱器となる冷媒／水熱交換器（62）から蒸発器となる室内熱交換器（41）へと冷媒が流れるように、冷媒が循環する。
【００６７】
具体的には、圧縮機（22）から吐出された冷媒は、吐出配管（30）、連絡配管（31）及び第１電磁弁（27）を介して、冷媒／水熱交換器（62）の冷媒側通路（62a）を通過する。当該冷媒側通路（62a）を流れる冷媒は、水側通路（62b）を流れる水媒体に放熱して凝縮する。冷媒／水熱交換器（62）にて凝縮した冷媒は、第３膨張弁（29）を通過後、第２膨張弁（26）にて減圧される。なお、第１膨張弁（25）は全閉であるため、第３膨張弁（29）を通過後の冷媒は、室外熱交換器（24）へは流れない。従って、室外熱交換器（24）では、熱交換が行われない。この場合、室外ファン（24a）の運転は停止していることが好ましい。
【００６８】
第２膨張弁（26）にて減圧された冷媒は、室内熱交換器（41）に流入し、該室内熱交換器（41）を通過する間に室内空気から吸熱して蒸発する。室内熱交換器（41）において冷却された室内空気は、室内に供給される。室内熱交換器（41）を通過した冷媒は、四路切換弁（23）の第４ポート（a4）及び第２ポート（a2）を通過した後、圧縮機（22）に吸入される。吸入された冷媒は、圧縮機（22）にて圧縮され、再び吐出配管（30）へと吐出される。
【００６９】
なお、第２電磁弁（28）は閉鎖した状態である。そのため、圧縮機（22）から吐出された冷媒がバイパス配管（33）に分岐して流れ、圧縮機（22）の吸入側へと流入することはない。
【００７０】
一方、給湯ユニット（60）の水回路（61）では、貯留タンク（63）内の水媒体が下部出入口（63a）から水配管（68）へと流出する。貯留タンク（63）から流出した水媒体は、第２三方弁（66）、循環ポンプ（64）及び第１三方弁（65）をこの順で通過した後、冷媒／水熱交換器（62）の水側通路（62b）に流入し、冷媒側通路（62a）を流れる冷媒による放熱によって加熱される。冷媒／水熱交換器（62）にて加熱された水媒体（即ち温水）は、貯留タンク（63）の上部出入口（63b）を介して該貯留タンク（63）の内部へと戻される。
【００７１】
まとめると、利用冷房運転では、冷媒回路（21）側を流れる冷媒と貯留タンク（63）内の冷水との熱交換が冷媒／水熱交換器（62）にて行われることで、冷媒は冷却され、当該冷水の冷熱は室内熱交換器（41）の冷房にて利用される。一方、水回路（61）内の水媒体は、加熱され、温水として貯留タンク（63）に戻される。即ち、利用冷房運転により、貯留タンク（63）内には、冷房排熱によって加熱された水媒体が貯留される。
【００７２】
そこで、給湯空調システム（10）の利用者が給湯栓（82）を開いて温水を利用する際、貯留タンク（63）内の水媒体の温度が既に設定温度に達していれば、貯留タンク（63）の水媒体が補助加熱器（80）で更に加熱されることなくそのまま給湯栓（82）へと供給される。しかし、貯留タンク（63）内の水媒体の温度が設定温度に達していない場合には、貯留タンク（63）内の水媒体は、出湯管（81）を通過する際に補助加熱器（80）で更に加熱され、給湯栓（82）に供給される。なお、補助加熱器（80）が加熱を行う際、補助加熱器（80）は、貯留タンク（63）内の水媒体の温度が設定温度に達するまで、水媒体を加熱する。
【００７３】
＜蓄熱運転と利用冷房運転の実施時期＞
上述した蓄冷運転及び利用冷房運転は、主に、夏季等の冷房シーズンにおいて、交互に行われることが好ましい。具体的には、蓄冷運転は、例えば深夜に行われる。夏季等の冷房シーズンにおいて、深夜は、電力料金が比較的安く且つ冷房運転の必要性が低下する時間帯と言えるためである。一方、利用冷房運転は、例えば日中から夕方にかけて行われる。夏季等の冷房シーズンにおいて、日中から夕方にかけては、電力料金は比較的高いが、室外空気の温度が上昇する時間帯であるために冷房運転の必要性が高まる。故に、日中から夕方にかけては、冷房運転によって室内ユニット（40）及び室外ユニット（20）にて消費される電力量のピーク値が上昇する可能性があるためである。
【００７４】
そこで、室内の空気調和が停止する蓄冷運転は、深夜に行われ、深夜に貯留された冷水を熱源として利用した利用冷房運転は、日中から夕方にかけて行われる。これにより、電力料金が比較的高い日中から夕方にかけては、消費電力量を抑えることができ、給湯空調システム（10）のランニングコストが低減される。また、日中から夕方にかけて行われる利用冷房運転により、それまで冷水が貯留されていた貯留タンク（63）には温水が貯留されることとなるため、利用者は、当該温水を給湯用として利用することができる。従って、本実施形態１に係る給湯空調システム（10）では、冷水用と温水用との２つの貯留タンクを設けずに済む。更に、１つの貯留タンク（63）は、冷水用と温水用とに交互に利用されるため、貯留タンク（63）の大きさを従来に比してあえて小さくすることができる。
【００７５】
更に、貯留タンク（63）内の温水が設定温度に達していない場合には、補助加熱器（80）によって更なる加熱がなされた温水が給湯栓（82）に供給される。そのため、冷水が補助加熱器（80）のみによって加熱され給湯用として供給される場合に比して、補助加熱器（80）が加熱動作にて必要とするガスの消費量も小さくなる。従って、補助加熱器（80）によって消費されるガスの消費量の削減も行うことができる。
【００７６】
＜効果＞
本実施形態１の給湯空調システム（10）には、温水のみならず冷水も貯留することが可能な貯留タンク（63）が備えられており、蓄冷運転及び利用冷房運転を実行可能に構成されている。蓄冷運転は、室外熱交換器（24）と冷媒／水熱交換器（62）とを利用して貯留タンク（63）に冷水を貯留する運転である。蓄冷運転は、冷房シーズンの夜間のように電力料金が比較的低い時間帯に行われる。利用冷房運転は、冷媒／水熱交換器（62）及び室内熱交換器（41）を利用して、貯留タンク（63）内の冷水を熱源として室内を冷房する一方で、貯留タンク（63）に温水を貯留する運転である。利用冷房運転は、冷房シーズンの昼間のように、室内の冷房運転の需要が高く消費電力量のピーク値が上昇する傾向にある時間帯に行われる。利用冷房運転時に、利用者によって温水が利用される場合には、貯留タンク（63）内の温水は、補助加熱器（80）によって更に加熱されて給湯栓（82）に供給される。これにより、室内の冷房運転の需要が高い時間帯には、貯留タンク（63）内の冷水を熱源として室内が冷房されるため、消費電力量のピーク値を抑えることができる。しかも、室内の冷房時、貯留タンク（63）内には、冷房の排熱を利用して温水が貯留される。そのため、給湯栓（82）への温水の供給時、補助加熱器（80）が水媒体を加熱する熱量は、冷水を加熱する場合に比して少なくて済む。従って、補助加熱器（80）のガス使用量も抑えることができる。
【００７７】
また、蓄冷運転時に利用者によって温水が利用される場合、貯留タンク（63）内の冷水は、補助加熱器（80）によって加熱された後に給湯栓（82）へと供給される。これにより、冷水が貯留される蓄冷運転時でも、利用者は、問題なく温水を使用することができる。
【００７８】
また、貯留タンク（63）に冷水が貯留される蓄冷運転時、冷水は、下部出入口（63a）から貯留タンク（63）内へと戻される。従って、貯留タンク（63）内の水媒体のうち冷水の領域が、貯留タンク（63）の下から上へと徐々に拡大されていく。
【００７９】
また、貯留タンク（63）に温水が貯留される利用冷房運転時、温水は、上部出入口（63b）から貯留タンク（63）内へと戻される。従って、貯留タンク（63）内の水媒体のうち温水の領域が、貯留タンク（63）の上から下へと徐々に拡大されていく。
≪実施形態２≫
本実施形態２に係る給湯空調システム（10）では、水回路（61）の構成が上記実施形態１とは異なっている。なお、水回路（61）の構成以外は、上記実施形態１と同様であるため、先ずは水回路（61）の構成について説明する。
【００８０】
＜水回路の構成＞
図６では、蓄冷運転時の、水回路（61）における水媒体の流れを表し、図７では、利用冷房運転時の、水回路（61）における水媒体の流れを表している。
【００８１】
図６及び図７に示すように、水回路（61）は、冷媒／水熱交換器（62）と、貯留タンク（63）と、循環ポンプ（64）と、１つの三方弁（71）とが、水配管（68）を介して接続されることで構成されている。冷媒／水熱交換器（62）は、上記実施形態１と同様である。
【００８２】
貯留タンク（63）は、起立状態で設置された円筒形の容器であって、その内部は常に水媒体によって満たされている。貯留タンク（63）の容積は、上記実施形態１に係る貯留タンク（63）よりも大きく、例えば３００〜５００リットル程度である。貯留タンク（63）は、冷媒／水熱交換器（62）によって加熱された水媒体である温水、または冷却された水媒体である冷水を貯留することができる。
【００８３】
貯留タンク（63）の下部には、下部流入口（63a）及び水入口（63c）が設けられ、貯留タンク（63）の上部には、上部流入口（63b）及び水出口（63d）が設けられている。更に、貯留タンク（63）には、下部流入口（63a）及び上部流入口（63b）の間に、中間流出口（63e）が１つ設けられている。
【００８４】
下部流入口（63a）及び上部流入口（63b）は、水媒体が、水回路（61）から貯留タンク（63）内へと流入するための開口である。水入口（63c）は、給湯ユニット（60）外部から給水配管（84）を介して流れてきた給湯空調システム（10）外部からの水媒体が、貯留タンク（63）内へと流入されるための開口である。水出口（63d）は、貯留タンク（63）内の水媒体が出湯管（81）を介して給湯栓（82）へと供給される際に、貯留タンク（63）内の水媒体が出湯管（81）へと流出するための開口である。中間流出口（63e）は、貯留タンク（63）内の水媒体が、貯留タンク（63）内から水回路（61）へと流出するための開口である。
【００８５】
循環ポンプ（64）は、水配管（68）のうち貯留タンク（63）の中間流出口（63e）と冷媒／水熱交換器（62）の間に設けられている。循環ポンプ（64）は、水回路（61）において、水媒体を循環させる。
【００８６】
三方弁（71）は、水回路（61）内を循環する水媒体の流れ方向を切り換える。三方弁（71）は、冷媒／水熱交換器（62）の水側通路（62b）における水媒体流出側と貯留タンク（63）の上部流入口（63b）とを連通させる状態、及び冷媒／水熱交換器（62）の水側通路（62b）における水媒体流出側と貯留タンク（63）の下部流入口（63a）とを連通させる状態のいずれかを採り得る。
【００８７】
＜蓄冷運転時の水回路内の水媒体の流れ＞
蓄冷運転時の冷媒回路（21）における冷媒の流れは、上記実施形態１と同様である。一方、水回路（61）における水媒体の流れは、以下のようになっている。
【００８８】
蓄冷運転時、循環ポンプ（64）は運転している。三方弁（71）は、冷媒／水熱交換器（62）の水媒体流出口と貯留タンク（63）の下部流入口（63a）とを連通させる状態を採る。
【００８９】
上記状態において、図６に示すように、水回路（61）では、貯留タンク（63）内の水媒体が中間流出口（63e）から水配管（68）へと流出する。貯留タンク（63）から流出した水媒体は、循環ポンプ（64）を介して冷媒／水熱交換器（62）の水側通路（62b）に流入し、冷媒側通路（62a）を流れる冷媒によって吸熱されて冷却される。冷媒／水熱交換器（62）にて冷却された水媒体は、三方弁（71）を通過した後、貯留タンク（63）の下部流入口（63a）を介して貯留タンク（63）の内部へと戻される。
【００９０】
このように、本実施形態２では、蓄冷運転時、貯留タンク（63）には冷水が貯留される。その際、貯留タンク（63）の容量は上記実施形態１に比して大きいため、貯留タンク（63）内では、上部と下部との温度差が上記実施形態１よりも大きくなる。そこで、本実施形態２では、貯留タンク（63）内にて水媒体の温度が概ね中間の温度となっている中間流出口（63e）から水媒体を取り出し、当該水媒体を水回路（61）に循環させている。冷却された水媒体は、貯留タンク（63）の下部へと戻される。
【００９１】
また、蓄冷運転時に、給湯空調システム（10）の利用者が給湯栓（82）を開いて温水を利用する際、貯留タンク（63）内の水媒体の温度は、設定温度に達していないことが予想される。そこで、この場合、貯留タンク（63）内の水媒体は、出湯管（81）を通過する際に補助加熱器（80）で加熱され、給湯栓（82）に供給される。補助加熱器（80）は、貯留タンク（63）内の水媒体の温度が設定温度に達するまで、水媒体を加熱することが好ましい。
【００９２】
＜利用冷房運転時の水回路内の水媒体の流れ＞
利用冷房運転は、蓄冷運転の後に行われる。利用冷房運転時の冷媒回路（21）における冷媒の流れは、上記実施形態１と同様である。一方、水回路（61）における水媒体の流れは、以下のようになっている。
【００９３】
利用冷房運転時、循環ポンプ（64）は運転している。三方弁（71）は、冷媒／水熱交換器（62）の水媒体流出口と貯留タンク（63）の上部流入口（63b）とを連通させる状態を採る。
【００９４】
上記状態において、図７に示すように、水回路（61）では、貯留タンク（63）内の水媒体が中間流出口（63e）から水配管（68）へと流出する。貯留タンク（63）から流出した水媒体は、循環ポンプ（64）を介して冷媒／水熱交換器（62）の水側通路（62b）に流入し、冷媒側通路（62a）を流れる冷媒から吸熱して水媒体自身は温められる。冷媒／水熱交換器（62）にて加熱された水媒体は、三方弁（71）を通過した後、貯留タンク（63）の上部流入口（63b）を介して貯留タンク（63）の内部へと戻される。
【００９５】
従って、利用冷房運転では、冷媒回路（21）側を流れる冷媒と貯留タンク（63）内の水媒体との熱交換が冷媒／水熱交換器（62）にて行われることで、冷媒は冷却され、水媒体の冷熱は室内熱交換器（41）の冷房にて利用される。一方、水回路（61）内の水媒体は、加熱され、温水として貯留タンク（63）に戻される。即ち、利用冷房運転により、貯留タンク（63）内には、冷房排熱によって加熱された水媒体が貯留される。
【００９６】
その際、貯留タンク（63）の容量は、上記実施形態１に比して大きいため、貯留タンク（63）内では、上部と下部との温度差が上記実施形態１よりも大きくなる。そこで、本実施形態２では、貯留タンク（63）内にて水媒体の温度が概ね中間の温度となっている中間流出口（63e）から水媒体を取り出し、当該水媒体を水回路（61）に循環させている。冷却された水媒体は、貯留タンク（63）の上部へと戻される。
【００９７】
また、給湯空調システム（10）の利用者が給湯栓（82）を開いて温水を利用する際、貯留タンク（63）内の水媒体の温度が既に設定温度に達していれば、貯留タンク（63）の水媒体が補助加熱器（80）で更に加熱されることなくそのまま給湯栓（82）へと供給される。しかし、貯留タンク（63）内の水媒体の温度が設定温度に達していない場合には、貯留タンク（63）内の水媒体は、出湯管（81）を通過する際に補助加熱器（80）で更に加熱され、給湯栓（82）に供給される。なお、補助加熱器（80）が加熱を行う際、補助加熱器（80）は、貯留タンク（63）内の水媒体の温度が設定温度に達するまで、水媒体を加熱する。
【００９８】
＜効果＞
貯留タンク（63）のサイズが大きくなる程、貯留タンク（63）の上部側と下部側との温度差が大きくなる。特に、貯留タンク（63）の上部の温度は高く、下部の温度は低い傾向にある。
【００９９】
しかし、本実施形態２に係る給湯空調システム（10）では、比較的中間温度となりやすい貯留タンク（63）の中間部分に中間流出口（63e）が設けられ、当該中間流出口（63e）から水媒体が水回路（61）へと流出される。そして、貯留タンク（63）内に冷水を貯留する蓄冷運転時、水媒体は下部流入口（63a）に戻され、貯留タンク（63）内に温水を貯留する利用冷房運転時、水媒体は上部流入口（63b）に戻される。従って、貯留タンク（63）内では、冷水の領域は下から徐々に拡大され、温水の領域は上から徐々に拡大されていく。
≪実施形態３≫
ここでは、蓄冷運転にて貯留タンク（63）に貯留された冷水が、通常冷房運転時に、冷媒回路（21）における過冷却度を向上させるために用いられる場合を説明する。図８は、本実施形態３に係る給湯空調システム（10）の回路構成を示す配管系統図である。なお、図８では、上記実施形態１と同様の構成については、同じ符合を付している。
【０１００】
＜構成＞
図８に示すように、本実施形態３の冷媒回路（21）は、上記実施形態１に係る冷媒回路（21）の構成に加え、過冷却水熱交換器（34）を更に有する。給湯ユニット（60）は、上記実施形態１に係る給湯ユニット（60）の構成に加え、更に第３三方弁（72）及び第４三方弁（73）を有する。水回路（61）は、上記実施形態１の水回路（61）に加え、過冷却水熱交換器（34）、第３三方弁（72）及び第４三方弁（73）により構成され、これらの各種構成要素は、水配管（68）によって接続されている。
【０１０１】
過冷却水熱交換器（34）は、冷媒回路（21）において、室外熱交換器（24）と第１膨張弁（25）との間に設けられている。即ち、過冷却水熱交換器（34）は、通常冷房運転時に冷媒の凝縮器となる室外熱交換器（24）の冷媒出口側に配置されている。過冷却水熱交換器（34）は、冷媒側通路（34a）と水側通路（34b）とを含み、冷媒側通路（34a）は冷媒回路（21）に接続され、水側通路（34b）は水配管（68）に接続されている。過冷却水熱交換器（34）は、水側通路（34b）を流れる水媒体を、冷媒側通路（34a）を流れる冷媒と熱交換させる。特に、過冷却水熱交換器（34）は、通常冷房運転時、過冷却器として機能するため、室外熱交換器（24）によって凝縮された冷媒を、水回路（61）を流れる冷水により更に凝縮させる。過冷却水熱交換器（34）を流出した冷媒は、第１膨張弁（25）を介して第２膨張弁（26）に流れ、第２膨張弁（26）にて減圧される。その後、当該冷媒は、蒸発器として機能する室内熱交換器（41）にて蒸発し、圧縮機（22）に吸入される。
【０１０２】
第３三方弁（72）は、水回路（61）において、第１三方弁（65）と冷媒／水熱交換器（62）との間に設けられている。第１三方弁（65）が循環ポンプ（64）の水媒体流出口を冷媒／水熱交換器（62）に連通させる状態を採る際に、第３三方弁（72）は、第１三方弁（65）を冷媒／水熱交換器（62）に連通させる状態と、第１三方弁（65）を過冷却水熱交換器（34）に連通させる状態とのいずれかを採り得る。特に、第３三方弁（72）は、通常冷房運転時、第１三方弁（65）を過冷却水熱交換器（34）に連通させる状態を採る。第３三方弁（72）は、蓄冷運転時、第１三方弁（65）を冷媒／水熱交換器（62）に連通させる状態を採る。
【０１０３】
第４三方弁（73）は、水回路（61）において、過冷却水熱交換器（34）と貯留タンク（63）の上部出入口（63b）との間に設けられている。第１三方弁（65）を過冷却水熱交換器（34）に連通させる状態を第３三方弁（72）が採る通常冷房運転時、第４三方弁（73）は、過冷却水熱交換器（34）を貯留タンク（63）の上部出入口（63b）に連通させる状態を採る。また、第４三方弁（73）は、利用冷房運転及び蓄冷運転時、貯留タンク（63）の上部出入口（63b）と冷媒／水熱交換器（62）とを連通させる。
【０１０４】
＜効果＞
上述した構成を有する給湯空調システム（10）によると、蓄冷運転にて貯留タンク（63）に蓄えられた冷水は、通常冷房運転時、冷媒回路（21）における過冷却水熱交換器（34）にて、冷媒の更なる放熱源として用いられる。これにより、通常冷房運転時、実施形態１に比してより凝縮された冷媒が、蒸発器として機能する室内熱交換器（41）に流入される。従って、給湯空調システム（10）は、冷房効率を向上させることができる。
≪実施形態４≫
本実施形態４に係る給湯空調システム（10）では、水回路（61）の構成が上記実施形態１〜３とは異なっている。なお、水回路（61）の構成以外は上記実施形態１と同様であるため、以下では、先ずは水回路（61）の構成について説明する。
【０１０５】
＜水回路の構成＞
図９では、蓄冷運転時の、水回路（61）における水媒体の流れを表し、図１０では、利用冷房運転時の、水回路（61）における水媒体の流れを表している。
【０１０６】
図９及び図１０に示すように、水回路（61）は、冷媒／水熱交換器（62）と、貯留タンク（63）と、循環ポンプ（64）と、４つの電磁弁（75,76,77,78）とが、水配管（68）を介して接続されることで構成されている。冷媒／水熱交換器（62）、貯留タンク（63）及び循環ポンプ（64）は、上記実施形態１と同様である。
【０１０７】
４つの電磁弁（75,76,77,78）は、水回路（61）内を循環する水媒体の流れ方向を切り換える。４つの電磁弁（75,76,77,78）のうち、第３電磁弁（75）は、貯留タンク（63）の下部出入口（63a）と循環ポンプ（64）の水媒体流入口との間に接続され、第４電磁弁（76）は、貯留タンク（63）の下部出入口（63a）と循環ポンプ（64）の水媒体流出口との間に接続されている。第５電磁弁（77）は、循環ポンプ（64）の水媒体流入口と冷媒／水熱交換器（62）の水側通路（62b）との間に接続され、第６電磁弁（78）は、循環ポンプ（64）の水媒体流出口と冷媒／水熱交換器（62）の水側通路（62b）との間に接続されている。４つの電磁弁（75,76,77,78）それぞれは、給湯空調システム（10）が行う運転種類に応じて開閉が切り換えらえる。
【０１０８】
＜蓄冷運転時の水回路内の水媒体の流れ＞
蓄冷運転時の冷媒回路（21）における冷媒の流れは、上記実施形態１と同様である。一方、水回路（61）における水媒体の流れは、以下のようになっている。
【０１０９】
蓄冷運転時、循環ポンプ（64）は運転している。図９に示すように、第４電磁弁（76）及び第５電磁弁（77）は開放され、第３電磁弁（75）及び第６電磁弁（78）は閉鎖される。
【０１１０】
上記状態において、水回路（61）では、貯留タンク（63）内の水媒体が上部出入口（63b）から水配管（68）へと流出する。貯留タンク（63）から流出した水媒体は、冷媒／水熱交換器（62）の水側通路（62b）に流入し、冷媒側通路（62a）を流れる冷媒によって吸熱されて冷却される。冷媒／水熱交換器（62）にて冷却された水媒体は、第５電磁弁（77）、循環ポンプ（64）及び第４電磁弁（76）をこの順で通過した後、貯留タンク（63）の下部出入口（63a）を介して貯留タンク（63）の内部へと戻される。これにより、蓄冷運転時、貯留タンク（63）内には冷水が貯留される。
【０１１１】
なお、蓄冷運転時に、給湯空調システム（10）の利用者が給湯栓（82）を開いて温水を利用する際、貯留タンク（63）内の水媒体は、出湯管（81）を通過する際に補助加熱器（80）で加熱され、給湯栓（82）に供給される。補助加熱器（80）は、貯留タンク（63）内の水媒体の温度が設定温度に達するまで、水媒体を加熱することが好ましい。
【０１１２】
＜利用冷房運転時の水回路内の水媒体の流れ＞
利用冷房運転は、蓄冷運転の後に行われる。利用冷房運転時の冷媒回路（21）における冷媒の流れは、上記実施形態１と同様である。一方、水回路（61）における水媒体の流れは、以下のようになっている。
【０１１３】
利用冷房運転時、循環ポンプ（64）は運転している。図１０に示すように、第３電磁弁（75）及び第６電磁弁（78）は開放され、第４電磁弁（76）及び第５電磁弁（77）は閉鎖される。
【０１１４】
上記状態において、水回路（61）では、貯留タンク（63）内の水媒体が下部出入口（63a）から水配管（68）へと流出する。貯留タンク（63）から流出した水媒体は、第３電磁弁（75）、循環ポンプ（64）及び第６電磁弁（78）をこの順で通過した後、冷媒／水熱交換器（62）の水側通路（62b）に流入し、冷媒側通路（62a）を流れる冷媒から吸熱して水媒体自身は温められる。冷媒／水熱交換器（62）にて加熱された水媒体は、貯留タンク（63）の上部出入口（63b）を介して貯留タンク（63）の内部へと戻される。
【０１１５】
従って、蓄冷運転にて貯留タンク（63）に貯留された冷水の冷熱は、利用冷房運転時、室内熱交換器（41）の冷房にて利用される。利用された後の水媒体は、冷房排熱によって加熱されるため、貯留タンク（63）内には温水が貯留される。
【０１１６】
なお、給湯空調システム（10）の利用者が給湯栓（82）を開いて温水を利用する際、貯留タンク（63）内の水媒体は、出湯管（81）を通過する際に補助加熱器（80）で更に加熱され、給湯栓（82）に供給されることが好ましい。
【０１１７】
＜効果＞
図９及び図１０に示すように、冷水を貯留タンク（63）の下部出入口（63a）に戻し温水を貯留タンク（63）の上部出入口（63b）に戻すための水回路（61）の構成を、上記実施形態１に係る２つの三方弁（65,66）に代えて、４つの電磁弁（75,76,77,78）にて実現することが可能である。
≪その他の実施形態≫
貯留タンク（63）の大きさは、一例である。貯留タンク（63）の大きさは、設置される給湯空調システム（10）の規模等に応じて適宜設定されることができる。
【０１１８】
補助加熱器（80）は、ガス燃焼式ではなく電気式の加熱器であってもよい。
【産業上の利用可能性】
【０１１９】
以上説明したように、本発明は、貯留タンク（63）を有する給湯ユニット（60）と室内の空気調和を行う冷媒回路（21）とを備える給湯空調システムにおいて、冷房シーズンの消費電力量のピーク値の上昇の抑制について有用である。
【符号の説明】
【０１２０】
10  給湯空調システム
21  冷媒回路
24  室外熱交換器
41  室内熱交換器
60  給湯ユニット（給湯装置）
61  水回路
62  冷媒／水熱交換器（水媒体熱交換器）
63  貯留タンク
63e  中間流出口
63a  下部出入口（下部流入口）
63b  上部出入口（上部流入口）
80  補助加熱器（補助加熱装置）
81  出湯管
82  給湯栓
【図１】
2015124908.tif 000003
【図２】
2015124908.tif 000004
【図３】
2015124908.tif 000005
【図４】
2015124908.tif 000006
【図５】
2015124908.tif 000007
【図６】
2015124908.tif 000008
【図７】
2015124908.tif 000009
【図８】
2015124908.tif 000010
【図９】
2015124908.tif 000011
【図１０】
2015124908.tif 000012